(57)【要約】【課題】瓦等の屋根上葺材を施工する前に、ステープル止めした屋根下葺材の上に強い雨や激しい雨があったとしても確実に漏水を防止できるようにした屋根下葺材の漏水防止構造を提供する。【解決手段】勾配屋根の軒先側を下、棟側を上にして屋根下葺材３を重ね、その重ね部４をステープル５で止める屋根下葺材の漏水防止構造において、前記ステープル５を打ち込む個所Ｋの下地板６と、これに面した屋根下葺材３との間に、両面粘着テープ７を両者に粘着させるように介装し、ステープルに付着して侵入しようとする水分を拡散させずに閉じ込めて下地板側に侵入することがないようにした。【選択図】図１
2005089964.tif 000002
【特許請求の範囲】
【請求項１】
勾配屋根の軒先側を下、棟側を上にして屋根下葺材を重ね、その重ね部をステープル止めする屋根下葺材の漏水防止構造において、前記ステープルを打ち込む個所の下地板と、これに面した屋根下葺材との間に、両面粘着テープを両者に粘着させるように介装したことを特徴とする屋根下葺材の漏水防止構造。
【請求項２】
前記両面粘着テープの粘着層が、ブチルゴム、天然ゴム、ＳＢＳ、ＳＩＳ、ポリウレタン、ポリイソブチレン、アクリル、ＥＶＡの一種、又は二種以上の配合品、或いはこれらとアスファルトとの配合品であることを特徴とする請求項１に記載の屋根下葺材の漏水防止構造。
【発明の詳細な説明】
【技術分野】
【０００１】
本発明は、屋根下葺材の施工後、瓦等の屋根上葺材を施工する前に降雨があった場合でもステープル穴からの漏水を確実に防止できるようにした屋根下葺材の漏水防止構造に関するものである。
【背景技術】
【０００２】
屋根下葺材は防水を目的として貼るものであり、勾配屋根の軒先側から棟側へ順次重ね部を作りながら貼り、その重ね部にステープルを打ち込んで下地板に固定する。前記ステープルの数は、５０坪の屋根面積の場合において約３０００本にもおよぶ。その数だけ屋根下葺材に穴をあける結果となり、その分、防水性を阻害することとなるが、瓦等の上葺材を施工した後、たとえ屋根下葺材に雨水がまわり込んでも、雨水は「流れ（フロー）」の状態となるために表面張力との関係もあってステープル穴からの漏水は実験的にも殆ど認められない。
【０００３】
たとえば、瓦等の上葺材を施工する前に降雨があった場合には、ステープル穴からの漏水事故の可能性が指摘されていた。尤も、屋根下葺材として用いられるアスファルトルーフィングは、紙にアスファルト又はピッチを含浸させてなるアスファルトフェルトを芯材とし、その両面にフィラーを混入したブローンアスファルトを塗布してなるため、アスファルト自身の疎水性と粘弾性とにより高いシール性を発揮し、少々の降雨では漏水問題は生じないことが確認されている。
【０００４】
問題になるのは、強い雨（２０ｍｍ／Ｈ程度）や激しい雨（５０ｍｍ／Ｈ程度）があった場合である。このような強い雨や激しい雨にあった場合には、前記ステープル穴からの漏水はあり得たが、本発明者は種々の実験を重ねた結果、確実に漏水を防止できる屋根下葺材の漏水防止構造を先に提案した（特許第３０８８６９３号参照）。
【０００５】
上記特許第３０８８６９３号公報により提案した構造は、屋根下葺材をステープル止めする下地板上の、ステープルを打ち込む個所に、上面に撥水処理を施した粘着テープを貼り、ステープルに付着した水分がステープルを伝ってこようとも粘着テープの上面の溌水処理層においてはじき返して下地板側に侵入することがないようにしたものである。
【特許文献１】特許第３０８８６９３号公報
【発明の開示】
【発明が解決しようとする課題】
【０００６】
しかしながら、強い雨や激しい雨にあった場合、粘着テープの上面の溌水処理層においてはじき返して下地板側に吸引されないようにすることはもとより有効であるが、本発明者はさらに研究の結果、ステープルを伝って来る水分を拡散させないように極めて限られた範囲内に閉じ込めてしまうことによって下地板側に吸引されないようにすることを新たに見出した。
【０００７】
本発明は、上記見出したことに鑑み創出したもので、瓦等の上葺材を施工する前に、ステープル止めした屋根下葺材の上に強い雨や激しい雨があったとしても、確実に漏水を防止できる新たな屋根下葺材の漏水防止構造を提供することを目的としている。
【課題を解決するための手段】
【０００８】
上記の目的を達成するため、本発明は、勾配屋根の軒先側を下、棟側を上にして屋根下葺材を重ね、その重ね部をステープル止めする屋根下葺材の漏水防止構造において、前記ステープルを打ち込む個所の下地板と、これに面した屋根下葺材との間に、両面粘着テープを両者に粘着させるように介装したことを特徴とするものである。
【０００９】
また、請求項２に記載の発明は、前記両面粘着テープの粘着層が、ブチルゴム、天然ゴム、ＳＢＳ、ＳＩＳ、ポリウレタン、ポリイソブチレン、アクリル、ＥＶＡの一種、又は二種以上の配合品、或いはこれらとアスファルトとの配合品であることを特徴とするものである。
【発明の効果】
【００１０】
本発明は、勾配屋根の軒先側を下、棟側を上にして屋根下葺材を重ね、その重ね部をステープル止めする屋根下葺材の漏水防止構造において、前記ステープルを打ち込む個所の下地板と、これに面した屋根下葺材との間に、両面粘着テープを両者に粘着させるように介装したことを特徴としているから、ステープルに付着して侵入しようとする水分は該ステープルが打ち込まれている屋根下葺材と両面粘着テープとの粘着面にて拡散せずに閉じ込められ、下地板側に侵入することがないという優れた効果を奏するものである。
【００１１】
また、請求項２に記載の発明は、両面粘着テープの粘着層に使用したブチルゴム、天然ゴム、ＳＢＳ、ＳＩＳ、ポリウレタン、ポリイソブチレン、アクリル、ＥＶＡの一種、又は二種以上の配合品、或いはこれらとアスファルトとの配合品は、いずれも打ち込まれたステープルの周囲にまつわり付き、ステープル自身に高いシール性能を付与し、漏水防止効果をより高めるという優れた効果を奏するものである。
【発明を実施するための最良の形態】
【００１２】
次に、本発明の実施の最良の形態を添付図面に基づいて説明する。図１は本願構造を略示的に示す断面図、図２は本願構造の要部の拡大断面図、図３は勾配屋根の上面のステープル打ち込み個所を画定し、その個所に予め両面粘着テープの一面を貼った状態を示す斜視図である。
【００１３】
図において、本願構造１は、図１の如く、勾配屋根２の軒先側Ａを下、棟側Ｂを上にして屋根下葺材３、３を重ね、その重ね部４をステープル５で止めるに際し、前記ステープル５を打ち込む個所（重ね部４）の下地板６と、これに面した屋根下葺材３との間に、両面粘着テープ７を両者に粘着するように介装したものである。
【００１４】
前記ステープルを打ち込む個所の下地板６とこれに面した屋根下葺材３との間に介装した両面粘着テープ７は、図２の如く、その一面の粘着層８により屋根下葺材３と、また、他面の粘着層９により下地板６と、それぞれ密着一体化している。換言すれば、下地板６とこれに面した屋根下葺材３とは両面粘着テープ７を介して確実に粘着されている。
【００１５】
前記両面粘着テープ７は１００ｍｍ幅位のものが適当である。そして一つの粘着面に粘着防止のための剥離紙を添えてロール状の巻玉としておくと施工手順上扱い易い。前記粘着層８、９としてはブチルゴム、天然ゴム、ＳＢＳ、ＳＩＳ、ポリウレタン、ポリイソブチレン、アクリル、ＥＶＡの一種、又は二種以上の配合品、或いはこれらとアスファルトとの配合品で構成するとよい。即ち、これらは粘着機能を有していることは勿論、打ち込まれたステープルの周囲にまつわり付いてステープル自身に高いシール性能を付与する機能、即ち、ステープル穴のシール性をも向上させる機能を有している。
【００１６】
次に、本願構造１を構成させる手順について説明する。先ず、勾配屋根２の軒先側Ａを下、棟側Ｂを上にして屋根下葺材３、３を重ね、その重ね部４をステープル５で止めるためのステープル打ち込み個所Ｋを画定する（図３の一点鎖線参照）。この個所Ｋは使用する屋根下葺材３の寸法と、使用する両面粘着テープ７の幅とを考慮すれば容易に画定できるものである。
【００１７】
次に、画定したステープル打ち込み個所Ｋの下地板６上に、図３に帯状の点模様として示したように両面粘着テープ７を貼って上面の剥離紙を剥がしながら屋根下葺材３を軒先側から棟側に一定（ほぼ１０ｃｍ程度）の重ね部４を取って敷いて行き、軒先側から重ね部４にハンマータッカーを使ってステープル５を打ち込んで下地板６に止めることにより本願構造１が完成することとなる。本願構造の場合、下地板６と屋根下葺材３との間を粘着させる両面粘着テープ７の使用によりハンマータッカーによるステープル５の打ち込み数を可及的に減縮することが可能である。
【実施例１】
【００１８】
いま、市販の２２キロのアスファルトルーフィングを、２ｍ2 の大きさに切断し、該アスファルトルーフィングを、次の仕様の３種の下地板の上面に５０本のステープルを打ち込んで敷設した。
１．ステープルを打ち込む上面の個所にブチルゴムを粘着層に用いた両面粘着テープを貼  った下地板
２．ステープルを打ち込む上面の個所に市販のガムテープ（表面が溌水性）を貼った下地  板
３．ステープルを打ち込む上面の個所に何も貼らなかった下地板
【００１９】
上記の如く、下地板にアスファルトルーフィングを敷設しものを、通常の屋根の傾斜角（勾配４．５寸）に設置し、アスファルトルーフィング面に２４時間散水し、漏水試験を行い、漏水個所を調べたところ、次表の結果を得た。
表
−−−−−−−−−−−−−−−−−−−−−−−−−−−−−−−−−−
散水量        １〜２ｍｍ／Ｈ    ２０ｍｍ／Ｈ      ５０ｍｍ／Ｈ
（しとしと雨）    （強い雨）        （激しい雨）
−−−−−−−−−−−−−−−−−−−−−−−−−−−−−−−−−−
仕様１（本願例）    ０／５０          ０／５０          ０／５０
仕様２（比較例）    ０／５０          ０／５０          ２／５０
仕様３（比較例）    ０／５０        １４／５０        ４３／５０
−−−−−−−−−−−−−−−−−−−−−−−−−−−−−−−−−−
【００２０】
上表の結果、上面にブチルゴムを粘着層に用いた両面粘着テープ７を貼った仕様１の下地板に、屋根下葺材２をステープル止めした場合には、激しい雨に相当する５０ｍｍ／Ｈで散水してもステープル穴からの漏水は全くなかった。これに対して、表面に撥水性のある市販のガムテープを貼った仕様２の下地板に、屋根下葺材３をステープル止めした場合には、激しい雨に相当する５０ｍｍ／Ｈでの散水ではステープル穴からの漏水は２個所だけ見つかったが、総じてステープル穴からの漏水は生じなかった。さらに、何も貼らなかった仕様３の下地板に、屋根下葺材３をステープル止めした場合には、しとしと雨に相当する１〜２ｍｍ／Ｈで散水したときはステープル穴からの漏水は全く生じなかったが、強い雨に相当する２０ｍｍ／Ｈでの散水ではステープル穴からの漏水が１４個所、激しい雨に相当する５０ｍｍ／Ｈでの散水ではステープル穴からの漏水は４３個所に及んだことが判る。
【図面の簡単な説明】
【００２１】
【図１】本願構造を略示的に示す断面図である。
【図２】本願構造の要部の拡大断面図である。
【図３】勾配屋根の上面のステープル打ち込み個所を画定し、その個所に予め両面粘着テープの一面を貼った状態を示す斜視図である。
【符号の説明】
【００２２】
１  本願構造
２  勾配屋根
３  屋根下葺材
４  重ね部
５  ステープル
６  下地板
７  両面粘着テープ
８  一面の粘着層
９  他面の粘着層
Ａ  軒先側
Ｂ  棟側
【図１】
2005089964.tif 000003
【図２】
2005089964.tif 000004
【図３】
2005089964.tif 000005